(57)【要約】【課題】本発明は、特に特殊環境や環境の変化が大きい場所での使用や、構造の種類やばらつき等で記録環境の変化が受けやすい光ディスクであっても、記録条件を最適化し、高品質なデータ記録を可能にした光ディスク記録再生装置及び光ディスク記録再生装置の記録方法を提供することを目的とする。【解決手段】光ピックアップの周辺温度の検知手段と周辺温度及び書込速度に対応させて記録パルスパターンを格納する記憶手段と光ディスクに情報を所定量書込む毎に周辺温度に対応する第１記録パルスパターン及び周辺温度の近傍に変化させた場合の第２記録パルスパターンを読出して光ディスクに情報を書込み、第１及び第２の各記録パルスパターンで書込んだ情報のエラーレートが低い記録パルスパターンを書込み用の記録パルスパターンとした。【選択図】図１
2007234188.tif 000002
【特許請求の範囲】
【請求項１】
記録パルスにより光ディスクに情報を書込む光ピックアップと、
前記光ピックアップの周辺温度の検知手段と、
前記光ディスクへの書込速度の入力手段と、
前記周辺温度及び前記書込速度に対応させて記録パルスパターンを格納する記憶手段と、
光ディスクに情報を所定量書込む毎に、前記検知手段により検知された周辺温度及び前記入力手段により書込速度に対応する第１記録パルスパターン及び前記周辺温度を前記周辺温度の近傍に変化させた場合の第２記録パルスパターンを読出して前記光ディスクに情報を書込み、前記第１及び第２の各記録パルスパターンで書込んだ情報のエラーチェックを行い、エラーレートが低い記録パルスパターンを書込み用の記録パルスパターンと決定する制御手段とを具備したことを特徴とする光ディスク記録再生装置。
【請求項２】
記録パルスにより光ディスクに情報を書込む光ピックアップと、
前記光ピックアップの周辺温度の検知手段と、
前記光ディスクへの書込速度の入力手段と、
前記周辺温度及び前記書込速度に対応させて記録パルスパターンを格納する記憶手段と、
光ディスクに情報を所定の時間書込む毎に、前記検知手段により検知された周辺温度及び前記入力手段により書込速度に対応する第１記録パルスパターン及び前記周辺温度を前記周辺温度の近傍に変化させた場合の第２記録パルスパターンを読出して前記光ディスクに情報を書込み、前記第１及び第２の各記録パルスパターンで書込んだ情報のエラーチェックを行い、エラーレートが低い記録パルスパターンを書込み用の記録パルスパターンと決定する制御手段とを具備したことを特徴とする光ディスク記録再生装置。
【請求項３】
前記光ディスクが追記型光ディスクのとき、前記第１の記録パルスパターン及び前記第２の記録パルスパターンで情報を書込んだ位置に続けて残りの情報を記録する追記制御手段を具備することを特徴とする請求項１乃至請求項２記載の光ディスク記録再生装置。
【請求項４】
前記光ディスクが書換型光ディスクのとき、前記第１の記録パルスパターン及び前記第２の記録パルスパターンで情報を書込んだ位置に上書きし、情報を最初から記録する書換制御手段を具備することを特徴とする請求項１乃至請求項２記載の光ディスク記録再生装置。
【請求項５】
前記第２の記録パルスパターンは、第１の記録パルスパターンの設定周囲温度より上の温度及び記録パルスパターンの設定周囲温度より下の温度の記録パルスパターンとした複数の記録パルスパターンであることを特徴とする請求項１乃至請求項４記載の光ディスク記録再生装置。
【請求項６】
光ディスクに情報を所定量書込む毎に、
光ピックアップ周囲温度を検知し、
前記検知された周辺温度及び光ディスクへの書込速度に対応する第１記録パルスパターン及び前記周辺温度を前記周辺温度の近傍に変化させた場合の第２記録パルスパターンを記憶手段から読出し、
前記読出した前記第１及び第２の記録パルスパターンで各々情報を書込み、
前記第１及び第２の各記録パルスパターンで書込んだ情報のエラーレートを検出し、
前記エラーレートが低い記録パルスパターンを書込み用の記録パルスパターンと決定する光ディスク記録再生装置の記録方法。
【請求項７】
光ディスクに情報を所定の時間書込む毎に、
光ピックアップ周囲温度を検知し、
前記検知された周辺温度及び光ディスクへの書込速度に対応する第１記録パルスパターン及び前記周辺温度を前記周辺温度の近傍に変化させた場合の第２記録パルスパターンを記憶手段から読出し、
前記読出した前記第１及び第２の記録パルスパターンで各々情報を書込み、
前記第１及び第２の各記録パルスパターンで書込んだ情報のエラーレートを検出し、
前記エラーレートが低い記録パルスパターンを書込み用の記録パルスパターンと決定する光ディスク記録再生装置の記録方法。
【請求項８】
前記光ディスクが追記型光ディスクのとき、前記第１及び前記第２の記録パルスパターンで各々書込んだ位置に続けて残りの情報を記録することを特徴とする請求項６乃至請求項７記載の光ディスク記録再生装置の記録方法。
【請求項９】
前記光ディスクが書換型光ディスクのとき、前記第１及び前記第２の記録パルスパターンで各々書込んだ位置に上書し、情報を最初から記録することを特徴とする請求項６乃至請求項７記載の光ディスク記録再生装置の記録方法。
【請求項１０】
前記第２の記録パルスパターンは、第１の記録パルスパターンの設定周囲温度より上の温度及び記録パルスパターンの設定周囲温度より下の温度の記録パルスパターンとした複数の記録パルスパターンであることを特徴とする請求項６乃至請求項９記載の光ディスク記録再生装置の記録方法。
【発明の詳細な説明】
【技術分野】
【０００１】
本発明は、追記または書換可能な光ディスクに情報を高品位に記録する光ディスク記録再生装置及び光ディスク記録再生装置の記録方法に関し、特に高温や低温などの特殊環境下で光ディスクに情報を高品質で記録することができる光ディスク記録再生装置及び光ディスク記録再生装置の記録方法に関するものである。
【背景技術】
【０００２】
近年、光ディスク記録再生装置が各種開発されている。例えばＣＤ−Ｒ、ＣＤ−ＲＷ、ＤＶＤ±Ｒ、ＤＶＤ±ＲＷ，ＤＶＤ−ＲＡＭなど記録可能な光ディスクで、コンピュータの外部記録再生装置等として応用されたものが広く普及してきている。
【０００３】
光ディスク記録再生装置では、光ピックアップから記録可能型光ディスクの記録層へレーザ光を照射し、レーザ光を照射された光ディスクは、記録層の部分が変質し、その記録層の光学的反射率（以下、光反射率という）が変化する。従って、例えば追記型の光ディスクにおいて、この作用によってレーザ光のパワーを二値的に変化させながら光ディスク記録層に照射し、記録層の光反射率を場所に依存して実質上二値的に変化させている。すなわち記録層の光反射率の低い部分（記録マーク）と、光反射率の高い部分（記録スペース）とに変化させている。このように二値化することでデータが記録マークと記録スペースとの順列として光ディスクへ記録されている。
【０００４】
記録可能型光ディスクには、追記型光ディスクと書換型光ディスクとに分類される。
【０００５】
追記型光ディスクとは、データを一回のみ記録可能な光ディスクであり、ＣＤ−ＲやＤＶＤ±Ｒなどがある。追記型光ディスクの記録マークは、記録層に対しレーザ光を所定のパワーで照射するとき、記録層部の有機色素が分解し、その光反射率が低下し、レーザ光を照射された記録層の部分が記録マークとなる。
【０００６】
書換型光ディスクとしては、ＣＤ−ＲＷ、ＤＶＤ−ＲＡＭ、ＤＶＤ±ＲＷ等がある。
【０００７】
書換型光ディスクの内、相変化記録方式によるものは、記録層が結晶相とアモルファス相との二種類の固相を有する合金を含んでいる。記録層の光反射率は結晶相では高く、アモルファス相では低いので、記録層の内アモルファス相の部分が記録マークとなる。記録時には、記録層に対し、比較的高いパワーのレーザ光をパルス照射し、記録層の狭い範囲が融点以上の温度まで瞬間的に加熱され、その後ガラス化点以下の温度まで急冷される。その結果、記録層のその狭い範囲がアモルファス相へ転移する。書換型光ディスクの記録マークの消去には、記録マークの範囲でアモルファス相を結晶相へ転移させれば良いので、回転中の書換型光ディスクの記録層に対し、比較的低いパワーのレーザ光を比較的長時間照射すると、記録層の広い範囲が、ガラス化点より高く融点を超えない程度の温度まで加熱され、その後比較的ゆっくりと冷える。その結果、記録層の広い範囲が結晶相へ転移する。相変化記録方式による書換型光ディスクへの実際のデータ記録では、レーザ光を上記の高いパワーと低いパワーとの間で切り換えながら照射することで記録マークの消去と作成とを交互に実行し、データを光ディスクに上書きできる。
【０００８】
図６は、従来の光ディスクへ情報を記録するときの記録パルスパターンを生成する説明図である。なお、図６では、追記型ＤＶＤの例で説明をする。
【０００９】
図６において、図６（ａ）は記録パルスパターン、図６（ｂ）は記録パルスパターン、図６（ｃ）はレーザパルス、図６（ｄ）は、光ディスクの記録マークとスペースを表している。
【００１０】
光ディスク記録再生装置は、記録対象データに応じて図６（ａ）の記録パルスパターンを決定する。この記録パルスパターンは光ディスクへ記録するための記録マークと記録スペースの並びを示す矩形状のパルス列である。記録パルスパターンでは、パルス幅が記録マーク長、一つのパルス後端から次のパルス前端までの間隔が記録スペース長である。図６（ａ）では、７Ｔの記録マークＰ１のあと３Ｔの記録スペースＳ１、３Ｔの記録マークＰ２の順に記録する一例を示している。ここで、単位長１Ｔはクロック周期である。従って７Ｔは、クロック周期の７倍を表す。光ディスクに記録マークや記録スペースを記録するのに記録する際のレーザ光による熱がレーザ光の照射範囲を超えて拡散するため、実際に形成される記録マークが記録パルスパターンの対応部分より長くなる。これを回避する目的で、図６（ｂ）に示すように所定の記録パルスパターンに対応する記録パルスパターンに変換してこの記録パルスパターンで光ディスクに記録する。
【００１１】
図６（ｂ）に示すように、７Ｔの記録パルスパターンに対応する記録パルスパターンは、フロントパルスＦＰとマルチパルスＭＰで形成する。フロントパルスＦＰの立上りＰ１０ａは、記録パルスパターンのパルスの立上りＰ１ａから所定の時間ｔ１遅れて設定される。フロントパルスＦＰの立下りから記録パルスパターンの立下りまでの間には、クロック周波数と同じ周期のパルス列でマルチパルスＭＰが設定される。この記録パルス列、特に記録パルスの両端の位置を、記録パルスパターンのマーク長とスペース長に基づき決定するための条件を記録パルスパターン（記録ストラテジとも呼ぶ）と定義し、光ディスク記録再生装置内のファームウェアには、光ディスクの種類ごとに記録速度や温度に適した記録パルスパターンを格納しており、記録するときにこのファームウェア内のデータを取得して記録する。
【００１２】
図６（ｃ）は記録パルスパターンをもとに出力するレーザパルスの波形図であり、図６（ｂ）の記録パルスと同型である。レーザパルスの波形の高さＰＷがレーザパワーを示している。
【００１３】
図６（ｄ）は、光ディスクに記録される記録マークと記録スペースを示しており、Ｍは記録マーク、Ｓは記録スペースである。図６（ａ）と図６（ｄ）の幅が略等しくなるように光ディスクの種類ごとに記録速度や温度に適した記録パルスパターンを決めている。
【００１４】
図７は、従来の光ディスクにおける記録処理のフローチャートである。
【００１５】
図７において、光ディスクを光ディスク記録再生装置に装着し記録が開始されると（Ｓ７００）、光ディスクの情報を取得し（Ｓ７０１）、記録速度及び温度に基づく記録パルスパターンを取得する（Ｓ７０２）。取得した情報を基に光ディスクの内周側で試書き（ＯＰＣ：Ｏｐｔｉｍｕｍ  Ｐｏｗｅｒ  Ｃａｒｉｂｒａｔｉｏｎ）を実施し（Ｓ７０３）、最適レーザパワーを取得したかどうか判定し（Ｓ７０４）、最適レーザパワーとなったら書込みを実行し（Ｓ７０５）、書込が終了したら（Ｓ７０６）、処理を終了する（Ｓ７０７）。書込みが終了していなければ（Ｓ７０６）、ランニングＯＰＣを実施し（Ｓ７０８）ながら書込みを実行する（Ｓ７０５）。最適レーザパワーでなければ再度ＯＰＣを実行する（Ｓ７０３）。
【００１６】
上記のように記録可能型光ディスクへ情報を記録し、かつ再生するための装置として、例えば（特許文献１）で開示されたような光ディスク記録再生装置が知られている。
【特許文献１】特開２０００−２００４１８号公報
【発明の開示】
【発明が解決しようとする課題】
【００１７】
しかしながら、記録マークの実際の形は、記録パルスと記録パワーとだけでは一意には決まらない。例えば、光ディスクの記録層の冷却速度は環境温度に依存するので、環境温度の変動はアモルファス相へ転移する範囲を変動させる。更に、半導体レーザではレーザ光の波長が温度変動に実質的に比例して変動し、かつ製品ごとに規格値の周辺でばらつく。例えば、ＤＶＤ−Ｒでは有機色素の光吸収特性が吸収光の波長に依存するので、レーザ光の波長変動は記録層の吸収エネルギー量を変動させる。特に動作使用温度の上限（例えば４０〜５０℃）や動作使用温度の下限（例えば０〜１０℃）であったり、環境変化が大きい屋外や環境試験室などでは影響を受けやすい。
【００１８】
さらに、光ディスクの記録位置によっても、例えば光ディスクの内周側を記録するときと外周側を記録するときとでも、環境の影響を受ける条件が異なり、同一の記録パルスパターンで記録しても、記録品質が異なる課題があった。
【００１９】
本発明は、特に特殊環境や環境の変化が大きい場所での使用や、さらには構造の種類やばらつき等で記録環境の変化が受けやすい光ディスクであっても、記録条件を最適化し、高品質なデータ記録を可能にした光ディスク記録再生装置及び光ディスク記録再生装置の記録方法を提供することを目的とする。
【課題を解決するための手段】
【００２０】
かかる課題を解決するため、本発明は、記録パルスにより光ディスクに情報を書込む光ピックアップと、光ピックアップの周辺温度の検知手段と、光ディスクへの書込速度の入力手段と、周辺温度及び書込速度に対応させて記録パルスパターンを格納する記憶手段と、光ディスクに情報を所定量書込む毎に、検知手段により検知された周辺温度及び入力手段により書込速度に対応する第１記録パルスパターン及び周辺温度を周辺温度の近傍に変化させた場合の第２記録パルスパターンを読出して光ディスクに情報を書込み、第１及び第２の各記録パルスパターンで書込んだ情報のエラーチェックを行い、エラーレートが低い記録パルスパターンを書込み用の記録パルスパターンと決定する制御手段とを具備した光ディスク記録再生装置であり、特殊環境などの条件においては、複数の記録パルスパターンで少しずつデータを書き込んで、書込み情報を再生しエラーレートを測定することで、特殊環境のもとでのエラーレートの少ない条件で以降の情報を書き込むことができるようになるので、高品質な記録ができるようになる。
【発明の効果】
【００２１】
本発明によれば、特に高温や低温などの環境での光ディスクへの記録に際して、記録マージンが少なく記録品質が悪くなっても、記録するときの記録条件を最適化することができるようになるので、高品質の情報の記録が可能な光ディスク記録再生装置及び光ディスク記録再生装置の記録方法を提供することができる。
【発明を実施するための最良の形態】
【００２２】
請求項１記載の発明は、記録パルスにより光ディスクに情報を書込む光ピックアップと、光ピックアップの周辺温度の検知手段と、光ディスクへの書込速度の入力手段と、周辺温度及び書込速度に対応させて記録パルスパターンを格納する記憶手段と、光ディスクに情報を所定量書込む毎に、検知手段により検知された周辺温度及び入力手段により書込速度に対応する第１記録パルスパターン及び周辺温度を周辺温度の近傍に変化させた場合の第２記録パルスパターンを読出して光ディスクに情報を書込み、第１及び第２の各記録パルスパターンで書込んだ情報のエラーチェックを行い、エラーレートが低い記録パルスパターンを書込み用の記録パルスパターンと決定する制御手段とを具備した光ディスク記録再生装置であり、所定量書込むごとに、記録パルスパターンを確認しながら最適の記録パルスパターンを設定し、設定した最適の記録パルスパターンで情報を書込むので、次々変化する書込み環境のもとでもエラーレートの少ない条件で情報を書込むことができるようになるので、高品質な記録ができるようになる。
【００２３】
請求項２記載の発明は、記録パルスにより光ディスクに情報を書込む光ピックアップと、光ピックアップの周辺温度の検知手段と、光ディスクへの書込速度の入力手段と、周辺温度及び書込速度に対応させて記録パルスパターンを格納する記憶手段と、光ディスクに情報を所定の時間書込む毎に、検知手段により検知された周辺温度及び入力手段により書込速度に対応する第１記録パルスパターン及び周辺温度を周辺温度の近傍に変化させた場合の第２記録パルスパターンを読出して光ディスクに情報を書込み、第１及び第２の各記録パルスパターンで書込んだ情報のエラーチェックを行い、エラーレートが低い記録パルスパターンを書込み用の記録パルスパターンと決定する制御手段とを具備した光ディスク記録再生装置であり、所定の時間書込むごとに、記録パルスパターンを確認しながら最適の記録パルスパターンを設定し、設定した最適の記録パルスパターンで情報を書込むので、次々変化する書込み環境のもとでもエラーレートの少ない条件で情報を書込むことができるようになるので、高品質な記録ができるようになる。
【００２４】
請求項３記載の発明は、光ディスクが追記型光ディスクのとき、第１の記録パルスパターン及び第２の記録パルスパターンで情報を書込んだ位置に続けて残りの情報を記録する追記制御手段を具備することを特徴とする請求項１乃至請求項２記載の光ディスク記録再生装置であり、追記型の光ディスクでは、複数の記録パルスパターンで少しずつ記録したらエラーレートの少ない記録パルスパターンで記録した位置に続けて情報を記録できるようになるので、高品質な記録が可能な光ディスク記録再生装置とすることができる。
【００２５】
請求項４記載の発明は、光ディスクが書換型光ディスクのとき、第１の記録パルスパターン及び第２の記録パルスパターンで情報を書込んだ位置に上書きし、情報を最初から記録する書換制御手段を具備することを特徴とする請求項１乃至請求項２記載の光ディスク記録再生装置であり、書換型の光ディスクでは、複数の記録パルスパターンで少しずつ記録したらエラーレートの少ない記録パルスパターンで記録した位置に上書きして、最初から情報を記録できるようになるので、高品質な記録が可能な光ディスク記録再生装置とすることができる。
【００２６】
請求項５記載の発明は、第２の記録パルスパターンは、第１の記録パルスパターンの設定周囲温度より上の温度及び下温度の記録パルスパターンとした複数の記録パルスパターンであることを特徴とする請求項１乃至請求項４記載の光ディスク記録再生装置であり、温度範囲を複数変化させて記録できるので、最初に設定した温度から記録に伴う温度の変化にも対応することができるようになるので、さらに高品質な記録ができる光ディスク記録再生装置を提供できるようになる。
【００２７】
請求項６記載の発明は、光ディスクに情報を所定量書込む毎に、光ピックアップ周囲温度を検知し、検知された周辺温度及び光ディスクへの書込速度に対応する第１記録パルスパターン及び周辺温度を周辺温度の近傍に変化させた場合の第２記録パルスパターンを記憶手段から読出し、読出した第１及び第２の記録パルスパターンで各々情報を書込み、第１及び第２の各記録パルスパターンで書込んだ情報のエラーレートを検出し、エラーレートが低い記録パルスパターンを書込み用の記録パルスパターンと決定する光ディスク記録再生装置の記録方法であり、所定量書込むごとに、記録パルスパターンを確認しながら最適の記録パルスパターンを設定し、設定した最適の記録パルスパターンで情報を書込むので、次々変化する書込み環境のもとでもエラーレートの少ない条件で情報を書込むことができるようになるので、高品質な記録ができるようになる。
【００２８】
請求項７記載の発明は、光ディスクに情報を所定の時間書込む毎に、光ピックアップ周囲温度を検知し、検知された周辺温度及び光ディスクへの書込速度に対応する第１記録パルスパターン及び周辺温度を周辺温度の近傍に変化させた場合の第２記録パルスパターンを記憶手段から読出し、読出した第１及び第２の記録パルスパターンで各々情報を書込み、第１及び第２の各記録パルスパターンで書込んだ情報のエラーレートを検出し、エラーレートが低い記録パルスパターンを書込み用の記録パルスパターンと決定する光ディスク記録再生装置の記録方法であり、所定の時間書込むごとに、記録パルスパターンを確認しながら最適の記録パルスパターンを設定し、設定した最適の記録パルスパターンで情報を書込むので、次々変化する書込み環境のもとでもエラーレートの少ない条件で情報を書込むことができるようになるので、高品質な記録ができるようになる。
【００２９】
請求項８記載の発明は、光ディスクが追記型光ディスクのとき、第１及び第２の記録パルスパターンで各々書込んだ位置に続けて残りの情報を記録することを特徴とする請求項６乃至請求項７記載の光ディスク記録再生装置の記録方法であり、追記型の光ディスクでは、複数の記録パルスパターンで少しずつ記録したらエラーレートの少ない記録パルスパターンで記録した位置に続けて情報を記録できるようになるので、高品質な記録が可能な光ディスク記録再生装置とすることができる。
【００３０】
請求項９記載の発明は、光ディスクが書換型光ディスクのとき、第１及び第２の記録パルスパターンで各々書込んだ位置に上書し、情報を最初から記録することを特徴とする請求項６乃至請求項７記載の光ディスク記録再生装置の記録方法であり、書換型の光ディスクでは、複数の記録パルスパターンで少しずつ記録したらエラーレートの少ない記録パルスパターンで記録した位置に上書きして、最初から情報を記録できるようになるので、高品質な記録が可能な光ディスク記録再生装置とすることができる。
【００３１】
請求項１０記載の発明は、第２の記録パルスパターンは、第１の記録パルスパターンの設定周囲温度より上の温度及び下温度の記録パルスパターンとした複数の記録パルスパターンであることを特徴とする請求項６乃至請求項９記載の光ディスク記録再生装置の記録方法であり、温度範囲を複数変化させて記録できるので、最初に設定した温度から記録に伴う温度の変化にも対応することができるようになるので、さらに高品質な記録ができる光ディスク記録再生装置を提供できるようになる。
【００３２】
以下、本発明の実施の形態１について、図１〜図６を参照しながら説明する。
【００３３】
（実施の形態１）
図１は、本発明の実施の形態１における光ディスク記録再生装置の構成を示すブロック図である。
【００３４】
図１に示すように、光ディスク記録再生装置１は、光ピックアップ１２、スピンドルモータ１３、フィードモータ１４、サーボモジュール１５、信号制御手段１６、ＣＰＵ１７、記憶手段１８、バッファ手段１９、インターフェース２０、温度検出手段２４から構成されている。
【００３５】
信号制御手段１６には、記録パルスパターン選択手段２２、ブロックエラーレート検出手段２３を備えている。
【００３６】
そして、パーソナルコンピュータ１１１に接続され、光ディスク１１に記録されたデータをパーソナルコンピュータ１１１に出力したり、パーソナルコンピュータ１１１のデータを光ディスク１１に出力したりできる構成としている。
【００３７】
光ピックアップ手段である光ピックアップ１２は、レーザ発光素子（図示せず）を有し、光ディスク１１へのデータの記録、再生時にレーザ光を照射し、記録および再生を行う。スピンドルモータ１３は、光ディスク１１のマウントのときやデータの記録および再生時に光ディスク１１の回転を行う。
【００３８】
光ピックアップ１２の移動手段であるフィードモータ１４は、光ピックアップ１２をスピンドルモータ１３に近づいたり離れたり移動させる。サーボモジュール１５は、フィードモータ１４の移動制御およびスピンドルモータ１３の回転速度を制御する回転速度制御手段である。パーソナルコンピュータ１１１と光ディスク記録再生装置１の接続手段であるインターフェース２０は、パーソナルコンピュータ１１１とのデータ信号の送信および受信を行う。ＣＰＵ１７は記憶手段である記憶手段１８を備え、記憶手段１８に記録されたプログラム（ファームウェア）により、サーボモジュール１５の制御と信号制御手段１６の制御及びパーソナルコンピュータ１１１とのインターフェース２０の制御を行ない光ディスク１１の情報再生や、光ディスク１１への情報記録を行う。また、記憶手段１８には、光ディスク１１への記録マークを形成するための記録パルスパターンが記憶されており、光ディスクの種類毎に周囲温度や書込み速度に応じて記憶されている。
【００３９】
パーソナルコンピュータ１１１と光ディスク記録再生装置１とは、インターフェース２０を介して接続されており、パーソナルコンピュータ１１１からの制御信号たとえばＡＴＡＰＩパケットコマンドを基に光ディスク記録再生装置１はパーソナルコンピュータ１１１に応答し、光ディスク記録再生装置１の情報を読み込んだり、光ディスク記録再生装置１に情報を記録したりする。パーソナルコンピュータ１１１は、ＡＴＡＰＩパケットコマンドと記録するデータ、書込み速度などを光ディスク記録再生装置１に転送し、入力手段であるインターフェース２０を介して記録するデータ、書込み速度などを受信し、光ディスク記録再生装置１はパーソナルコンピュータ１１１からの受信した書込み速度で受信した情報を光ディスク１１に記録する。パーソナルコンピュータ１１１と光ディスク記録再生装置１はインターフェース２０を介して、ケーブル１１２で接続されている。また、前記インターフェース２０は、ＳＣＳＩインターフェースや、ＩＤＥインターフェース等である。
【００４０】
温度検出手段２４は、光ピックアップ１２の近くに配置され、光ディスク記録再生装置１の内部の環境温度を測定する。
【００４１】
図２は、本発明の実施の形態１に係わる光ディスクへ情報を記録する記録パルスパターンに関する説明図である。
【００４２】
図２において、図２（ａ）は記録パルスパターン、図２（ｂ）は記録パルスパターン、図２（ｃ）はレーザパルス、図２（ｄ）は、光ディスクの記録マークと記録スペースを表している。
【００４３】
光ディスク記録再生装置１は、記録対象データに応じて図２（ａ）の記録パルスパターンを決定する。この記録パルスパターンは光ディスクへ記録するための記録マークと記録スペースの並びを示す矩形状のパルス列である。記録パルスパターンでは、パルス幅が記録マーク長、一つのパルス後端から次のパルス前端までの間隔が記録スペース長である。
【００４４】
図２（ａ）において、記録パルスパターンが、７Ｔの記録マークＰ１に続けて３Ｔの記録スペースＳ１、３Ｔの記録マークＰ２の順に記録する一例で示している。ここで、単位長１Ｔはクロック周期である。従って７Ｔは、クロック周期の７倍を表す。光ディスク１１に記録マークＭや記録スペースＳを記録するのに記録する際のレーザ光による熱がレーザ光の照射範囲を超えて拡散するため、実際に形成される記録マークＭが記録スペースＳの対応部分より長くなる。これを回避する目的で、図２（ｂ）の実線で示すように所定の記録パルスパターンに対応する記録パルスパターンに変換してこの記録パルスパターンで光ディスク１１に記録する。図２（ｂ）に示すように、７Ｔの記録パルスパターンＰ１に対応する記録パルスは、フロントパルスＦＰとマルチパルスＭＰで形成する。フロントパルスＦＰの立上りＰ１０ａは、記録パルスパターンＰ１のパルスの立上りＰ１ａから所定の時間ｔ１遅れて設定される。この記録パルス列、特に記録パルスの両端の位置を、記録パルスパターンの記録マーク長と記録スペース長に基づき決定するための組合せパルスの条件を記録パルスパターンと読んでおり、光ディスク記録再生装置内のファームウェアには、光ディスクの種別ごとに記録速度や温度に適した記録パルスパターンや記録レーザパワーを格納しており、記録するときにこのファームウェア内の記録パルスパターンや記録レーザパワーを取得して記録している。
【００４５】
動作使用温度の上限近傍の高温などの環境や、動作使用温度の下限近傍の低温などの環境など特殊環境でも、たとえば記録開始のときの温度で記録パルスパターンや記録レーザパワーをファームウェアから読込み記録開始するが、記録開始するレーザ光による熱がレーザ光の照射範囲を超えて拡散するため、実際に光ディスク１１に形成される記録マークが記録パルスパターンの対応部分よりさらに長くなることがある。例えば図２（ｄ）の記録マークに対して前記のように拡散の影響を受けた一例として点線で記録マークＭ２を示す。このとき、記録開始のとき設定した温度、記録レーザパワー及び記録パルスパターンでの記録マーク及び記録スペースは、所望の大きさと異なり記録データのブロックエラーが大となる。たとえば図２（ｄ）の点線に示した記録マークＭ２ように記録マークおよび記録スペースが所望の記録パルスパターンと異なることがある。
【００４６】
このため、図２（ｂ）の破線で示すように、記録マークと記録パルスとの組合せである記録パルスパターンを変化させて、光ディスク１１上に記録される記録マークと記録スペースを所望の大きさに設定するように記録パルスパターンを選択する。
【００４７】
図３は、本発明の実施の形態に係わる記録パルスパターンを示した表の一例を示す図である。
【００４８】
図３では、記録マーク生成の記録パルスパターン３Ｔ〜１１Ｔに対して、直前の記録スペース長に依存した記録マークのスタート位置のずれ、記録マークのパルス幅などを表している。
【００４９】
たとえば、記録スペース３Ｔに続く３Ｔの記録マークを生成する記録パルスパターンのパラメータは、図３の表から、０ｘ０４と選択され、０ｘ０４のパラメータで記録パルスのスタート位置を決定する。３Ｔの記録マークの時のフロントパルス幅のパラメータは０ｘ２０として設定できる。また、フロントパルス位置、フロントパルス幅、マルチパルス位置、マルチパルス幅、などが設定されている。
【００５０】
このれらの記録パルスパターンは、光ディスク１１の種類に応じて、記録温度や記録速度毎に記録装置内の記憶手段１８に格納されている。
【００５１】
図３（ａ）と図３（ｂ）はそれぞれ異なる温度に対しての記録パルスパターンのパラメータを示しており、一部パラメータが異なっており、動作環境が変わったら、この記録パルスパターンのパラメータを基に最適の記録条件を求めるようにしている。
【００５２】
本発明の実施の形態では、例えば記録使用可能な温度の上限や下限近傍で使用する際に、記録する前に設定した記録パワーや記録パルスパターンで記録開始し、記録途中での記録環境が変わっても、記録中に記録条件をテストしながら高品位に記録できる光ディスク記録再生装置１としており、データ記録が開始されると、記録パルスパターンを複数変えながら各々記録データを最初から少量記録し、記録した複数のデータのエラーレートを測定し、エラーレートの一番小さい記録パルスパターンで残りのデータを記録するようにしている。ここで、エラーレートとしてブロックエラーレートを使用する。ブロックエラーレートとは、記録データを再生し、再生時の所定期間（例えば、１秒間）内におけるエラー訂正回数である。
【００５３】
例えば、記録位置において、記録パルスパターンＡ，記録パルスパターンＢ，記録パルスパターンＣで少しずつ記録する。
【００５４】
記録パルスパターンＡは、記録開始時に設定した記録パルスパターンであり、記録パルスパターンＢは、温度条件が上の記録パルスパターン、記録パルスパターンＣは、温度条件が低い方の記録パルスパターンとする。
【００５５】
記録開始すると、光ディスク１１の情報や光ディスク記録再生装置１内温度をチェックして適切な記録パルスパターンと記録レーザパワーを取得したあとで、ＯＰＣでレーザパワーを最適化し、書込みを開始する。先ず、記録する情報の始めを記録パルスパターンＡで所定量記録し、続けて記録パルスパターンＢで所定量記録、さらに記録パルスパターンＣで所定量記録する。ここで記録する所定量は、記録パルスパターンＡ、記録パルスパターンＢ、記録パルスパターンＣで１ＫＢ〜２ＫＢ記録する。
【００５６】
ＡＡＡＢＢＢＣＣＣ
次に、複数の記録パルスパターンで記録した情報を再生し、ブロックエラーレート（ＢＬＥＲ）を測定し、ＢＬＥＲの少ない最良の記録条件を選択する。最良の記録条件に設定したら、ＡＡＡＢＢＢＣＣＣとリンク生成し、ＣＣＣのあとから残りの情報を継続して記録を行なう。例えば記録パルスパターンＡが最良の記録条件であれば、
ＡＡＡＢＢＢＣＣＣＡＡＡＡＡＡＡＡＡＡＡＡＡＡＡＡＡ
とＡＡＡＢＢＢＣＣＣに続いて最良の記録条件である記録パルスパターンＡで記録を続ける。所定の量、例えば、１ＭＢ記録したら、再度装置内温度を確認して、記録パルスパターンの最適化を行う。この所定の量記録する情報量の設定は、固定でもいいが、記録状況をチェックしながら、標準の記録パルスパターンからの変更が必要となる記録量などを測定して決定してもよい。
【００５７】
このように所定量記録する毎に、記録パルスパターンの最適化を図ることで、記録雰囲気が変化する室外での記録装置としてや、環境試験室内で収集するデータの記録などでも記録品質の高い光ディスク記録再生装置とすることができる。
【００５８】
なお、光ディスクが書換可能なメディアのときは、複数の記録パルスで記録した情報を再生し、ブロックエラーレートを測定し、ブロックエラーレートの少ない最良の記録条件を選択する。その後、最良の記録条件で最初から記録を行なってもよい。
【００５９】
例えば、ＡＡＡＢＢＢＣＣＣを最初から上書きし、
ＡＡＡＡＡＡＡＡＡＡＡＡＡＡＡＡＡＡＡＡＡＡＡＡＡＡ
と記録する。所定の量、例えば、１ＭＢ記録したら、再度装置内温度を確認して、記録パルスパターンの最適化を行う。
【００６０】
図４は、本発明の実施の形態に係わる記録処理のフローチャートである。
【００６１】
図４において、光ディスク１１を光ディスク記録再生装置１に装着し、記録が開始されると（Ｓ４００）、光ディスク１１の情報を取得し（Ｓ４０１）、記録速度及び温度に基づく記録パルスパターン及び記録レーザパワーを取得する（Ｓ４０２）。取得した記録パルスパターンにて光ディスク１１の内周側でＯＰＣを実施し（Ｓ４０３）、最適レーザパワーを取得したかどうか判定し（Ｓ４０４）、最適レーザパワーとなったら書込みを実行し（Ｓ４０５）、規定量の書込みが終了したら（Ｓ４０６）、リンクを生成し（Ｓ４０７）、所望の数の記録パルスパターンを変更したかどうか判定し（Ｓ４０８）、所望の数の記録パルスパターンでの記録をしていなかったら、記録パルスパターンを変更し（Ｓ４０９）、Ｓ４０５に戻る。記録パルスパターンは、光ディスク１１の種類毎に記録速度、記録温度で設定された標準の記録パルスパターンで記録したあとで、標準の温度より高い温度の記録パルスパターン及び標準の記録パルスパターンより低い温度の記録パルスパターンの複数での記録パルスパターンにて記録を行う。
【００６２】
所望の記録パルスパターンを変更して書き込んだら（Ｓ４０８）、書込んだデータのブロックエラーレート（ＢＬＥＲ）を測定し（Ｓ４１０）、ＢＬＥＲの一番小さい記録パルスパターンに設定し（Ｓ４１１）、書込みを実行する（Ｓ４１２）。情報の書き込みが終了したかどうか判定し（Ｓ４１３）、書込みが終了していなければ、ランニングＯＰＣを実施しながら（Ｓ４１４）、書込みを実行し（Ｓ４１２）、所定の量の書込みが終了したら（Ｓ４１３）、データを全て書込んだかどうかを判定し（Ｓ４１５）、データの全てを書込んだら（Ｓ４１５）、処理を終了する（Ｓ４１６）。データの全ての書込みが終了していなければ（Ｓ４１５）、現在の記録パルスパターンを標準の記録パルスパターンに設定し（Ｓ４１７）、再度（Ｓ４０５）に戻り、再度現在の記録パルスパターンを標準値として、設定した標準の記録パルスパターンの上下の周囲温度の記録パルスパターンを設定し、全てのデータの記録を続ける。
【００６３】
（実施の形態２）
本発明の実施の形態２では、実施の形態１と共通する部分については、繰り返して説明することをしない。本発明の実施の形態２では、例えば記録使用可能な温度の上限や下限近傍または周囲温度の変化の大きい環境で使用する際に、記録する前に設定した記録パワーや記録パルスパターンで記録開始し、記録途中での記録環境が変わっても高品位に記録できる光ディスク記録再生装置としており、データ記録が開始されると、記録パルスパターンを複数変えながら各々記録データを最初から少量記録し、記録した複数のデータのブロックエラーレートを測定し、ブロックエラーレートの一番小さい記録パルスパターンで残りのデータを記録するようにしている。例えば、記録位置において、記録パルスパターンＡ，記録パルスパターンＢ，記録パルスパターンＣで少しずつ記録する。
【００６４】
記録パルスパターンＡは、記録開始時に設定した記録パルスパターンであり、記録パルスパターンＢは、温度条件が上の記録パルスパターン、記録パルスパターンＣは、温度条件が低い方の記録パルスパターンとする。
【００６５】
記録開始すると、光ディスク１１の情報や光ディスク記録再生装置１内温度をチェックして適切な記録パルスパターンと記録レーザパワーを取得したあとで、ＯＰＣでレーザパワーを最適化し、書込みを開始する。先ず、記録する情報の始めを記録パルスパターンＡで所定量記録し、続けて記録パルスパターンＢで所定量記録、さらに記録パルスパターンＣで所定量記録する。ここで記録する所定量は、記録パルスパターンＡ、記録パルスパターンＢ、記録パルスパターンＣで１ＫＢ〜２ＫＢ記録する。
【００６６】
ＡＡＡＢＢＢＣＣＣ
次に、複数の記録パルスパターンで記録した情報を再生し、ブロックエラーレート（ＢＬＥＲ）を測定し、ＢＬＥＲの少ない最良の記録条件を選択する。最良の記録条件に設定したら、ＡＡＡＢＢＢＣＣＣとリンク生成し、ＣＣＣのあとから残りの情報を継続して記録を行なう。例えば記録パルスパターンＡが最良の記録条件であれば、
ＡＡＡＢＢＢＣＣＣＡＡＡＡＡＡＡＡＡＡＡＡＡＡＡＡＡ
とＡＡＡＢＢＢＣＣＣに続いて最良の記録条件である記録パルスパターンＡで記録を続ける。所定の時間記録したら、例えば１０分間記録したら、再度装置内温度を確認して、記録パルスパターンの最適化を行い情報の記録が終了するまで、前述の記録パルスパターンの設定、情報の記録を繰り返す。
【００６７】
このように所定時間記録する毎に、記録パルスパターンの最適化を図ることで、記録雰囲気が変化する室外での記録装置としてや、環境試験室内で収集するデータの記録などでも最適化をする時間を所望に設定できるようになり、記録品質の高い光ディスク記録再生装置１とすることができる。
【００６８】
なお、光ディスク１１が書換可能なメディアのときは、複数の記録パルスパターンで記録した情報を再生し、ブロックエラーレートを測定し、ブロックエラーレートの少ない最良の記録条件を選択する。その後、最良の記録条件で最初から記録を行なってもよい。
【００６９】
例えば、ＡＡＡＢＢＢＣＣＣを最初から上書きし、
ＡＡＡＡＡＡＡＡＡＡＡＡＡＡＡＡＡＡＡＡＡＡＡＡＡＡ
と記録する。所定の時間記録したら、例えば５分間記録したら、再度装置内温度を確認して、記録パルスパターンの最適化を行い情報の記録が終了するまで、前述の記録パルスパターンの設定、情報の記録を繰り返す。この所定の時間記録する時間設定は、固定でもいいが、記録状況をチェックしながら、標準の記録パルスパターンからの変更が必要となる時間などを測定して決定してもよい。
【００７０】
図５は、本発明の実施の形態２に係わる記録処理のフローチャートである。
【００７１】
図５において、光ディスク１１を光ディスク記録再生装置１に装着し、記録が開始されると（Ｓ５００）、光ディスク１１の情報を取得し（Ｓ５０１）、記録速度及び温度に基づく記録パルスパターン及び記録レーザパワーを取得する（Ｓ５０２）。取得した記録パルスパターンにて光ディスクの内周側でＯＰＣを実施し（Ｓ５０３）、最適レーザパワーを取得したかどうか判定し（Ｓ５０４）、最適レーザパワーでなければ（Ｓ５０３）に戻り、最適レーザパワーとなったら書込みを実行し（Ｓ５０５）、規定量書込みでなければ（Ｓ５０５）に戻り、規定量書込みが終了したら（Ｓ５０６）、リンクを生成し（Ｓ５０７）、所望の数の記録パルスパターンを変更したかどうか判定し（Ｓ５０８）、所望の数の記録パルスパターンでの書込みをしていなかったら、記録パルスパターンを変更し（Ｓ５０９）、Ｓ５０５に戻る。記録パルスパターンは、光ディスク１１の種類毎に記録速度、記録温度で設定された標準の記録パルスパターンで記録したあとで、標準の温度より高い温度の記録パルスパターン及び標準の記録パルスパターンより低い温度の記録パルスパターンの複数での記録パルスパターンにて記録を行う。
【００７２】
所望の記録パルスパターンを変更して書き込んだら（Ｓ５０８）、書込んだデータのブロックエラーレート（ＢＬＥＲ）を測定し（Ｓ５１０）、ＢＬＥＲの一番小さい記録パルスパターンに設定し（Ｓ５１１）、書込みを実行する（Ｓ５１２）。そして情報の書き込みが終了したかどうか判定し（Ｓ５１３）、書込みが終了していなければ、ランニングＯＰＣを実施しながら（Ｓ５１４）、書込みを実行し（Ｓ５１２）、所定時間の書込みが終了したら（Ｓ５１３）、データを全て書込んだかどうかを判定し（Ｓ５１５）、データの全てを書込んだら（Ｓ５１５）、処理を終了する（Ｓ５１６）。データの全ての書込みが終了していなければ（Ｓ５１５）、現在の記録パルスパターンを標準の記録パルスパターンに設定し（Ｓ５１７）、再度（Ｓ５０５）に戻り、再度現在の記録パルスパターンを標準記録パルスパターンとして、上下の周囲温度の記録パルスパターンを設定して、全てのデータの記録を続ける。
【００７３】
なお、本発明では、高温や低温などの特殊環境下での光ディスク１１に記録する記録方法に着目して述べたが、特殊環境でなくても、通常の使用条件下で使用してもよい。通常の条件下で実施すれば、さらに高品質の記録ができるようになる。
【００７４】
また、記録パルスパターンは、標準の記録パルスパターンと光ピックアップ１２の周囲温度の上下の温度における記録パルスパターンで説明したが、周囲温度の上の温度、周囲温度の下の温度のそれぞれ複数の温度での記録パルスパターンを選択し、それぞれの記録パルスパターンにて記録し記録品質の最適化を行えば、さらに光ディスク１１への情報の書込みの高品質化を図ることができる。
【産業上の利用可能性】
【００７５】
本発明は、高温や低温などの特殊環境下で光ディスク１１に情報を高品質で記録することができるようになるので、屋外や温度変化の大きい場所（環境試験室等）などで連続してデータを収集し、収集したデータを記録する光ディスク記録再生装置などに適応可能である。
【図面の簡単な説明】
【００７６】
【図１】本発明の実施の形態１における光ディスク記録再生装置の構成を示すブロック図
【図２】本発明の実施の形態１に係わる光ディスクへ情報を記録する記録パルスパターンに関する説明図
【図３】本発明の実施の形態に係わる記録パルスパターンを示した表の一例を示す図
【図４】本発明の実施の形態に係わる記録処理のフローチャート
【図５】本発明の実施の形態２に係わる記録処理のフローチャート
【図６】従来の光ディスクへ情報を記録するときの記録パルスパターンを生成する説明図
【図７】従来の光ディスクにおける記録処理のフローチャート
【符号の説明】
【００７７】
１    光ディスク記録再生装置
１１    光ディスク
１２    光ピックアップ
１３    スピンドルモータ
１４    フィードモータ
１５    サーボモジュール
１６    信号制御手段
１７    ＣＰＵ
１８    記憶手段
１９    バッファ手段
２０    インターフェース
２２    記録パルスパターン選択手段
２３    ブロックエラーレート検出手段
２４    温度検出手段
１１１    パーソナルコンピュータ
１１２    ケーブル
【図１】
2007234188.tif 000003
【図２】
2007234188.tif 000004
【図３】
2007234188.tif 000005
【図４】
2007234188.tif 000006
【図５】
2007234188.tif 000007
【図６】
2007234188.tif 000008
【図７】
2007234188.tif 000009